(57)【特許請求の範囲】
【請求項１】
誤りのないメッセージを受信する鉄道遠隔無線の能力（ビット誤り率（ＢＥＲ）試験メッセージ・データ・ビット）の限界に近い低振幅試験信号を用いて、鉄道遠隔無線を試験するシステムであって、
前記鉄道遠隔無線によって検出されたＢＥＲ試験メッセージ・データ・ビットをカウントする第１のカウンタと、
干渉信号を検出する検出手段であって、前記干渉信号が検出されたときに、信号を前記第１のカウンタに送信する検出手段とを含み、
前記第１のカウンタは、前記干渉信号の検出中は受信ＢＥＲ試験メッセージ・データ・ビットのカウントを中断し、前記検出手段が前記干渉信号を検出しなくなったときに、前記受信ＢＥＲ試験メッセージ・データ・ビットのカウントを再開するシステム。
【請求項２】
前記鉄道遠隔無線によって検出された誤りのない試験メッセージの数をカウントする第２のカウンタを含み、
前記第２のカウンタは、前記第１のカウンタによって、所定数の前記受信ＢＥＲ試験メッセージ・データ・ビットがカウントされている間、前記誤りのない試験メッセージの数をカウントする請求項１に記載のシステム。
【請求項３】
前記試験の開始と最後に受信された誤りのない試験メッセージとの間の時間中に受信された、受信ＢＥＲ試験メッセージ・データ・ビットのカウント数を保存する手段を含む請求項２に記載のシステム。
【請求項４】
カウントされた受信ＢＥＲ試験メッセージ・データ・ビットの総数が所定数に等しく、カウントされた誤りのないメッセージの総数が別の所定数以上であるかどうかに応じて、合格メッセージまたは不合格メッセージを返す手段を含む請求項２に記載のシステム。
【請求項５】
前記第１のカウンタと前記検出手段とが、前記鉄道遠隔無線と関連づけられた機関車制御ユニット内に設けられている請求項１に記載のシステム。
【請求項６】
誤りのないメッセージを受信する鉄道遠隔無線の能力（ビット誤り率（ＢＥＲ）試験メッセージ・データ・ビット）の限界に近い低振幅試験信号を用いて、鉄道遠隔無線を試験する方法であって、
前記鉄道遠隔無線によって受信前記ＢＥＲ試験メッセージ・データ・ビットをカウントするステップと、
干渉信号が存在するかを検出して、干渉信号が検出されるときに信号を前記鉄道遠隔無線に提供するステップと、
前記干渉信号の検出中に、前記受信ＢＥＲ試験メッセージ・データ・ビットのカウントを中断するステップと、
前記干渉信号が検出されないときに、前記受信ＢＥＲ試験メッセージ・データ・ビットのカウントを再開するステップと、
前記カウント・ステップと再開ステップと結果に応じて、合格メッセージまたは不合格メッセージを返すステップとを含む方法。
【請求項７】
前記誤りのないメッセージをカウントするパケット・カウンタをゼロに設定するステップと、
主ビット・カウンタを初期値に設定するステップであって、該主ビット・カウンタは受信ＢＥＲ試験メッセージ・データ・ビットの数をカウントするステップと、
ＢＥＲ試験メッセージ信号の一連のビットを処理するステップとを含み、
前記干渉検出ステップは前記一連のビットの各ビットを処理した後に提供され、
前記干渉信号が検出されたときに、補助カウンタの値は前記主ビット・カウンタに複写される請求項６に記載の方法。
【請求項８】
前記干渉信号が検出されなかったときに、完全に誤りのないメッセージが前記鉄道遠隔無線に送信されたかどうかを判断するステップを含む請求項７に記載の方法。
【請求項９】
前記主ビット・カウンタ値がゼロに等しいかどうかを判断するステップと、
カウントされた誤りのないメッセージがしきい値を超えているかどうかを判断するステップとを含む請求項８に記載の方法。
【発明の詳細な説明】
【０００１】
【発明の属する技術分野】
本発明は一般的に、列車内通信に用いられる鉄道遠隔無線の試験に関し、特に機関車制御ユニット（ＬＣＵ）無線用の混信検出スクリーニング・システムに関する。
【０００２】
【従来の技術】
機関車制御ユニット（ＬＣＵ）無線（鉄道遠隔無線としても一般的に知られている）および列車後尾（Ｅｎｄ  ｏｆ  Ｔｒａｉｎ）（ＥＯＴ）無線は、連邦鉄道局（ＦＲＡ）が要求するように、貨物列車で用いる完全な情報制御システムの一部として、互いに通信する補足的な装置である。ＥＯＴは通常列車の後尾車両に設けられ、たとえばブレーキ・パイプの空気圧、車両の動き、バッテリーの状態などの列車情報を監視して、この情報をＬＣＵに送信する。ＥＯＴによって監視され、無線周波数（ＲＦ）を介してＬＣＵに送信された情報は、機関車の乗務員に対して表示される。
【０００３】
列車間通信におけるＬＣＵの適切な操作は重要であるので、ＬＣＵシステムは定期的に、好ましくは各使用の前に試験される。したがって、列車が操車場で「編成され」、ＬＣＵおよびＥＯＴが設置されるた後に、ＬＣＵの全体的動作を検証するために機能試験が行われる。これは、通常の連結および装備シーケンスの一部として行われ、ＬＣＵの機能的操作性を検証する。この試験は、ＬＣＵ無線の性能の限界はチェックしない。無線性能をチェックするためには、通常適当な機器が利用可能である無線工場にＬＣＵを持ち込んで、無線に手を加えられるようにＬＣＵのカバーを開く必要がある。
【０００４】
ＬＣＵについて行われるかかる試験の１つは、無線受信機感度性能の試験である。感度性能試験はビット誤り率（ＢＥＲ）試験とも呼ばれている。感度性能試験は、非常に低振幅の試験信号がＬＣＵ（たとえば、ＬＣＵ受信機）に適用されることを必要としており、かかる低振幅の試験信号は通常、ＬＣＵ受信機の誤りのないメッセージを受信する能力の限界に近い。しかし、当該技術分野における実験的な試験を通して、操車場内で発生するＥＯＴ送信は、低振幅の試験信号と干渉することが分かった。したがって、ＬＣＵの感度性能試験の間に、付近のＥＯＴ送信はＬＣＵの試験と干渉する場合があり、それによってビット誤り率が記録されることになる。また、これは不正確なＢＥＲ試験結果を引き起こす。
【０００５】
【発明が解決しようとする課題】
そのため、混信によって引き起こされるビット誤りを記録することなく、ＬＣＵを試験できるシステムが必要とされている。よって、このシステムは、ＲＦに不利な環境においてＬＣＵを正確に試験できるものになる。このシステムは、独立型または統合型のＬＣＵシステムを含む、現在使用されているＬＣＵシステムと共に提供することが容易にもなるであろう。
【０００６】
したがって、機関車制御ユニット（ＬＣＵ）無線を機関車上での試験するための、混信検出スクリーニング・システムを提供することが本発明の目的である。
【０００７】
ＬＣＵの試験中の干渉によって生ずるビット誤りを抹消する、混信検出スクリーニング・システムを提供することが、本発明の別の目的である。
【０００８】
【課題を解決するための手段】
本発明によれば、機関車制御ユニット（ＬＣＵ）無線の機関車上での試験用の、混信検出スクリーニング・システムおよび使用方法が提供される。本発明のシステムおよび方法は、独立型ＬＣＵまたは統合型ＬＣＵと共に使用するように適合されている。
【０００９】
本発明のシステムは、ＲＦ通信試験セットに接続された変調器を備えている。変調器は短い擬似ランダム・メッセージを生成して継続的に繰り返し、ＲＦ通信試験セットはそのメッセージを受信して、それを信号に盛り込む。ＬＣＵとＲＦ通信試験セットとの間には、較正された減衰器および接続ケーブルが接続されている。減衰器はメッセージを、好適には誤りのないメッセージを受信するＬＣＵの能力の限界に近い低振幅の信号に減衰させる。
【００１０】
ＬＣＵには、混信を検出することができるＲＦ干渉検出モジュールが接続されている。ＲＦ干渉検出モジュールが混信（たとえば、ＥＯＴ）を検出すると、かかる検出をＬＣＵに通知する。次に、ＬＣＵは混信を「補償」するために、修正動作を行う。この修正動作は、検出された干渉信号の時間中に、ＲＦ通信試験セットから受信された誤りのないメッセージの数のカウントを中断することを含む。ＲＦ干渉検出モジュールが、混信を一旦検出しなくなると、ＬＣＵは、感度性能試験の完了まで、ＲＦ通信試験セットから受信する誤りのないメッセージの数をカウントすることを再開する。このような方法で、外部的な混信によって生ずるビット誤りは完全に抹消され、正確なＢＥＲを得ることができる。
【００１１】
本発明は、混信を検出およびスクリーニングする方法にも関する。ＬＣＵを試験する方法は、誤りのないメッセージを受信するＬＣＵの能力の限界に近い低振幅の信号を用いる。本発明の方法は、ＬＣＵによって受信された低振幅の信号をカウントすることも含む。低振幅の信号の各ビットがカウントされた後に、干渉信号が存在するかどうかについて判断が為される。干渉信号が存在するときには、本発明の方法は信号をＬＣＵに送信して、かかる検出をＬＣＵに通知する。次に、ＬＣＵは各受信されたデータ・ビットのカウントを中断して、干渉信号が検出されなくなったときに、各受信されたデータ・ビットのカウントを再開する。カウントおよび再開のステップの結果に応じて、合格メッセージまたは不合格メッセージが生成される。
【００１２】
【発明の実施の形態】
上記の目的、態様および利点ならびに他の目的、態様および利点は、図面を参照して、本発明の好適な実施の形態に関する以下の詳細な説明により更によく理解されるであろう。
【００１３】
本発明は、機関車制御ユニット（ＬＣＵ）無線の機関車上での試験用の混信検出スクリーニング・システムに関する。ＬＣＵ感度性能試験（ビット誤り率（ＢＥＲ）試験としても知られている）中のビット誤りを抹消するために、本発明のシステムは、かかるビット誤りを引き起こす可能性のある全ての周波数内混信信号を検出し、かかる検出された混信の期間中のＬＣＵ感度性能試験を中断する。本発明のシステムによって混信が検出されなくなれば、ＬＣＵはＬＣＵ感度性能試験を再開する。したがって、本発明の無線検出スクリーニング・システムを用いることにより、ＬＣＵ感度性能試験は、たとえば、本発明のシステムがなければＬＣＵ感度性能試験と干渉する可能性がある、いくつかのＥＯＴ送信が行われる操車場などの、ＲＦに不利な環境において正確に行われることができる。
【００１４】
本発明の無線検出スクリーニング・システムは、独立型ＬＣＵまたは統合型ＬＣＵと共に使用するように適合させることができる。独立型ＬＣＵは、たとえば、操作者がＬＣＵを監視して制御することを可能にする制御スイッチやモニタなどの内蔵ユーザ・インターフェイスを備えている。一方、統合型ＬＣＵは、通常は通信ポートを介して機関車のコンピュータと連結しているので、内蔵ユーザ・インターフェイスは備えていない。パーソナル・コンピュータ（ＰＣ）でこの通信ポートにアクセスすることにより（入出力（Ｉ／Ｏ）ボックスを介して）、操作者は統合ＬＣＵを観察し制御することができる。独立型ＬＣＵおよび統合型ＬＣＵは共に、ＬＣＵの要求された機能を遂行するローカル・マイクロプロセッサを有する。
【００１５】
独立型ＬＣＵ試験セットアップ
図１には、独立型ＬＣＵ用のＬＣＵ試験セットアップが示されている。図１の試験セットアップは、オーディオ出力ポート１１を有するＢＥＲ変調器１０を備えている。ＢＥＲ変調器１０のオーディオ出力ポート１１は、ケーブル１２を介してＲＦ通信試験セット２０の変調入力ポート２１に接続されている。ＢＥＲ変調器１０は短い（６３ビット）擬似ランダム・メッセージ（ＢＥＲ試験メッセージ）を生成して継続的に繰り返すことが好ましく、ＲＦ通信試験セット２０は、この短い擬似ランダム・メッセージを受信してキャリア信号を変調する。変調されたキャリア信号は、ＲＦ通信試験セット２０のＲＦ入出力ポート２２で利用可能である。ＲＦ通信試験セット２０のＲＦ入出力ポート２２には、較正された減衰器２５および較正された接続ケーブル１４を介してＬＣＵ３０が接続されている。較正された減衰器２５はＬＣＵ３０のアンテナ・コネクタ３１に接続されている。較正された減衰器２５は、ＢＥＲ試験メッセージ信号を、好適には誤りのないメッセージを受信するＬＣＵの能力の限界に近い振幅値に減衰させる。
【００１６】
図１の構成において、ＲＦ通信試験セット２０からのＢＥＲ試験メッセージ信号は、減衰器２５を介してＬＣＵ３０に送信される。次に、ＬＣＵ３０は、ＢＥＲ試験メッセージの総ビット数、および試験期間の継続中に受信された誤りのないビット誤りＢＥＲ試験メッセージの総数をカウントすることにより、ＢＥＲ試験メッセージを処理する。試験期間中に受信された誤りのないＢＥＲ試験メッセージの数が、たとえば、それぞれ６３ビットの長さである１０２４個のメッセージ（計６４５１２ビット）などの所定の最小値に等しい場合に、ＬＣＵの受信機感度は妥当であると判断される。この所定の最小値は本発明の特定のセットアップに応じて選択することができること、およびこの所定の最小値は低振幅信号の送信に先立って設定することが好ましいことを、当業者はよく理解するはずである。
【００１７】
しかし、ＥＯＴ送信は、ＬＣＵに適用される低振幅の試験信号と干渉し易く、そのためビット誤りをカウントさせて記録させることになる。これらのビット誤りは、ＥＯＴ混信からＬＣＵによって誤って受信される信号であり、主として、感度性能試験中に低振幅の信号と共にこれらの混信を受信して記録するＬＣＵの能力に起因するものである。これらのビット誤りのカウントおよび記録は、不正確なＢＥＲの結果を生じさせ、それによってＬＣＵが感度性能試験に不合格になることにつながる場合がある。
【００１８】
この問題を解決するために、ＲＦ干渉検出ボックス４０の検出器出力４１を介して、ＲＦ干渉検出ボックス４０がＬＣＵ３０の通信ポート３２（すなわち、シリアル・ポート）に接続されている。ＲＦ干渉検出ボックス４０は、混信を受信できるアンテナ４５を備えている。混信を検出すると、ＲＦ干渉検出ボックス４０は、ＬＣＵが修正動作を行えるようにＬＣＵに通知する。この修正動作は不正確なＢＥＲの結果を抹消する。
【００１９】
より特定的に言えば、混信が検出されると、ＲＦ干渉検出ボックス４０は、混信が検出されたことを示す信号をＬＣＵ３０に提供する。混信が一旦検出されると、ＬＣＵ３０は、検出された干渉信号の時間中にＲＦ通信試験セット２０から受信された誤りのないＢＥＲ試験メッセージのカウントを中断する。ＲＦ干渉検出ボックス４０が一旦混信を検出しなくなると、ＬＣＵ３０は、感度性能試験の完了まで、ＲＦ通信試験セット２０から受信する誤りのないＢＥＲ試験メッセージの数のカウントを再開する。このようにして、混信によって引き起こされるビット誤りは完全に抹消され、正確なＢＥＲ結果が得られる。ＢＥＲ試験の終わりに、ＬＣＵ３０は、試験の結果、すなわちＬＣＵが試験時間内に必要数の誤りのないメッセージを受信したかどうかに応じて、たとえば、「ＢＥＲ合格」または「ＢＥＲ不合格」などのメッセージを表示できる。ＬＣＵがＢＥＲテストに不合格になると、このＬＣＵは保守および修繕に関するサービスから外される。
【００２０】
統合型ＬＣＵ試験セットアップ
図２は、統合型ＬＣＵ用のＬＣＵ試験セットアップを示している。図２の実施の形態は、図１の実施の形態と同じ構成部品を多く含んでおり、ＬＣＵ無線受信機の感度性能試験に同様に用いられる。
【００２１】
図２を参照すると、ＢＥＲ変調器１０はケーブル１２を介してＲＦ通信試験セット２０に接続されている。図１の実施の形態と同様に、ＢＥＲ変調器１０は短い擬似ランダム・メッセージ（ＢＥＲ試験メッセージ）を生成して継続的に繰り返すことが好ましく、ＲＦ通信試験セット２０は擬似ランダム・メッセージを受信してキャリア信号を変調する。較正された減衰器２５および接続ケーブル１４は、ＬＣＵ３０とＲＦ通信試験セット２０との間に接続されている。図１の説明と同様に、減衰器２５は、ＢＥＲ試験メッセージ信号を、好適には誤りのないメッセージを受信するＬＣＵの能力の限界に近い低振幅値に減衰させる。図２の構成において、ＲＦ通信試験セット２０からのＢＥＲ試験メッセージ信号は、減衰器２５を介してＬＣＵ３０に送信される。
【００２２】
図２の実施の形態に特別であるのは、パーソナル・コンピュータ（ＰＣ）３４と、ＲＦ干渉検出ボックス４０と、ＬＣＵ３０のシリアル・ポート３２との間にＩ／Ｏインターフェイス３３が設けられていることである。パーソナル・コンピュータ３４は、そのハードディスクに記憶されているか、あるいはパーソナル・コンピュータ３４に挿入されるフロッピー・ディスクまたは他の媒体に記憶されている、ユーザ・インターフェイス・ソフトウエア・プログラムを含む。ＰＣプログラムは、内蔵ユーザ・インターフェイスを有していないＬＣＵシステム上で、感度性能試験を行うことを可能にする。ＲＦ干渉検出ボックス４０は、ＬＣＵ３０と通信できるように、Ｉ／Ｏインターフェイス３３に接続されている。ＲＦ干渉検出ボックス４０は、混信を受信するアンテナ４５を含む。
【００２３】
図１の実施の形態と同様に、混信が一旦検出されると、ＬＣＵ３０は干渉信号が検出される時間中は、感度性能試験を中断する（例えば、受信された誤りのないＢＥＲ試験メッセージの数のカウントを中断する）。ＲＦ干渉検出ボックス４０が一旦混信を検出しなくなると、ＬＣＵ３０は、ＲＦ通信試験セット２０から受信した誤りのないＢＥＲ試験メッセージの数を再度カウントすることにより、感度性能試験を再開する。このようにして、混信によって引き起こされるビット誤りは完全に抹消されて、正確なＢＥＲ結果を得ることができる。
【００２４】
ＲＦ干渉検出ボックス
図３は、１つの特定のＲＦ干渉検出ボックス４０の構成部品を示している。しかし、図３のＲＦ干渉検出ボックス４０は例示に過ぎず、同じ機能的均等物を有する他の構成を本発明と共に使用することも考えられることが、無線周波数設計の当業者にはよく理解されるはずである。
【００２５】
図３を参照すると、ＲＦ干渉検出ボックス４０は、アンテナ４５を介して混信を受信する無線受信機４２を備えている。好適な実施の形態において、無線受信機４２はＥＯＴ周波数を受信するように調整されており、無線信号強度インジケータ（ＲＳＳＩ）を組み込んでいる。ＲＳＳＩ出力は、ＥＯＴ周波数の受信信号強度に比例する直流電圧である。電圧比較器回路４４は、ＲＳＳＩ出力電圧の直流電圧を受けて、その直流電圧を基準電圧と比較する。干渉信号が存在すれば、ＲＳＳＩ電圧は上昇して、電圧比較器回路４４を作動させて、試験を受けているＬＣＵ３０に対して論理信号を出力させる。次に、ＬＣＵ３０は、ＥＯＴ混信がＲＦ干渉検出ボックス４０によって検出されなくなるまで、そのカウント動作を中断する。
【００２６】
試験ソフトウエアの流れ図
図４は、ＥＯＴ混信が不正確なＢＥＲ結果につながらないことを確実にするために、感度性能試験中にＬＣＵによって使用されるソフトウエアの流れ図である。図４は、ここで図４に示している流れ図のステップを実施する本発明の検出スクリーニング・システムの高レベルブロック図を同様に表す場合もあることを理解されたい。
【００２７】
図４の流れ図を参照して説明する、たとえば、初期主ビット・カウンタ値などの数および値は、例示を目的としてのみ提供するものであって、どのような形であれ、これらの数および値は本発明の範囲を限定するものとは解釈すべきではないことをよく理解されたい。図４に示した流れ図のステップは、独立型システムのＬＣＵおよび統合型システムのＬＣＵの両方に適用される。
【００２８】
ここで図４を参照すると、本発明のソフトウエアの初期化が機能ブロック４００〜４３０で行われる。特定的に言えば、ＬＣＵの動作はブロック４００で始まる。ブロック４１０で、良好パケット・カウンタは「０」に設定される。良好パケット・カウンタとは、試験期間中にＬＣＵによって受信された誤りのないＢＥＲ試験メッセージの数をカウントするカウンタである。この例においては、ビット誤りが発生しないとすれば、１０２４個のメッセージが受信されるであろう。ブロック４２０で、主ビット・カウンタは初期値に設定され、初期値は６４５１２ビット（１０２４メッセージ×６３ビット長）が好ましいが、これには限定されない。（主ビット・カウンタが「０」にデクリメントされると、試験は完了する。）次に、ブロック４３０で、本発明のソフトウエアは、主ビット・カウンタの値を補助ビット・カウンタに複写する。
【００２９】
機能ブロック４００〜４３０で初期化を完了した後に、ブロック４４０で、受信されたデータ・ビットはＬＣＵ内の処理バッファに移動される。好適な実施の形態においては、６３ビットのメッセージの長さを受け入れるために、処理バッファは６３ビットの長さにすることができる。
【００３０】
ブロック４４０で１ビットが処理された後に、決定ブロック４５０で、ＲＦ干渉検出ボックスによって干渉信号が検出されたかどうかに関する判断が行われる。干渉信号が検出されれば、次にブロック４６０で、主ビット・カウンタは、最後の良好なパケットの整合時の主ビット・カウンタ値を含む補助カウンタの値にリセットされる。以降の処理は迂回されて、ブロック４４０で、次に受信されたデータ・ビットは処理バッファ内に移動される。
【００３１】
ブロック４５０で混信が検出されなければ、ブロック４７０でパケットの整合があるかどうかに関する判断が行われる。パケットの整合は、６３ビットの完全に誤りのないＢＥＲ試験メッセージが送信され、ＬＣＵによって記録されたことを示すであろう。決定ブロック４７０でパケットの整合が判断されたとすると、ブロック４８０で、主ビット・カウンタ値は補助ビット・カウンタに複写されるであろう。また、ブロック４９０で、良好パケット・カウンタの値がインクリメントされるであろう。
【００３２】
ブロック４７０でパケットの整合が判断されなかった場合、またはブロック４９０で良好パケット・カウンタの値がインクリメントされた後に、ブロック５００で主ビット・カウンタ値がデクリメントされるであろう。好適な実施の形態においては、有効な最初のメッセージが送信されて記録されるまで、主ビット・カウンタ値はデクリメントされない。これによって、ＬＣＵは感度性能試験の開始前に適切に同期されるであろう。
【００３３】
ブロック５１０で、主ビット・カウンタ値が「０」に等しいかどうかに関する判断が行われる。主ビット・カウンタ値が「０」に等しくなければ、主ビット・カウンタ値が「０」に等しくなるまで、ブロック４４０〜５００と関連づけられたステップが繰り返される。
【００３４】
ブロック４４０〜５１０を参照してここで説明したように、干渉信号が検出されなければ、主ビット・カウンタは、その最後の良好な整合時の値に継続的にリセットされる。干渉信号が一旦検出されなくなると、主ビット・カウンタは、各データ・ビットの受信によってデクリメントされる。良好なパケット・カウンタは、誤りのない良好なメッセージを受信する度にインクリメントされる。このように、ビット・メッセージのカウントが中断されるので、干渉信号は試験結果に悪影響を及ぼさず、主ビット・カウンタのデクリメントされた値は、補助ビット・カウンタの保存された値で置き換えられる。
【００３５】
ブロック４４０〜５１０の処理が完了された後に、良好パケット・カウンタ値が、特定の試験に関してあらゆる任意の数であり得るしきい値（ブロック５２０）以上であるかどうかに関して判断が行われる。良好パケット・カウンタ値がしきい値以上であれば、ブロック５３０で、ディスプレイは、ＬＣＵが感度性能試験に合格したことを示す。良好パケット・カウンタ値がしきい値未満であれば、ブロック５４０で、ディスプレイは、ＬＣＵが感度性能試験に合格したことを示す。ブロック５５０で、試験が終了する。
【００３６】
ＬＣＵ無線に特に適用される好適な実施の形態の形で本発明を説明してきたが、当業者は、本発明が特許請求の範囲および主旨の中で変更して実施できることを認識するであろう。また、本発明は、添付の請求項だけでなく、下記の項目に記載の概念も、その保護の対象とすることができる。
（１）  前記第１のカウンタは主ビット・カウンタであり、前記第２のカウンタはパケット・カウンタである請求項２に記載のシステム。
（２）  前記カウントされた低振幅試験信号を保存する手段は補助ビット・カウンタである請求項３に記載のシステム。
（３）  前記誤りのないメッセージの数が前記しきい値以上であるときに、「合格」または類似のメッセージを表示するステップを含む請求項９に記載の方法。
（４）  前記誤りのないメッセージの数が前記しきい値未満であるときに、「不合格」または類似のメッセージを表示するステップを含む請求項９に記載の方法。
（５）  前記誤りのないメッセージが前記鉄道遠隔無線に送信されたときに、前記パケット・カウンタをインクリメントするステップを含む請求項９に記載の方法。
（６）  前記試験の開始前に、前記鉄道遠隔無線が適切に同期されることを確実にするために、前記鉄道遠隔無線によって有効な最初のメッセージが送信されて記録されるまで、前記主ビット・カウンタ値はデクリメントされない請求項９に記載の方法。
【図面の簡単な説明】
【図１】  第１のタイプのＬＣＵと共に用いられる、本発明の第１の実施の形態を示すブロック図である。
【図２】  第２のタイプのＬＣＵと共に用いられる、本発明の第２の実施の形態を示すブロック図である。
【図３】  本発明のＲＦ干渉検出システムを示すブロック図である。
【図４】  第１の実施の形態のＬＣＵにおいて内蔵されたプログラムとして実装されるか、第２の実施の形態のＬＣＵにおいてパーソナル・コンピュータ（ＰＣ）ユーザ・インターフェイスと共に内蔵されたみプログラムとして実装される試験プログラムのロジックを示す流れ図である
【符号の説明】
１０…ＢＥＲ変調器、１１…オーディオ出力ポート、１２…ケーブル、１４…接続ケーブル、２０…ＲＦ通信試験セット、２１…変調入力ポート、２２…ＲＦ入出力ポート、２５…減衰器、３０…機関車制御ユニット（ＬＣＵ）、３１…アンテナ・コネクタ、３２…通信ポート、３３…Ｉ／Ｏインターフェイス、３４…パーソナル・コンピュータ（ＰＣ）、４０…ＲＦ干渉検出ボックス、４１…検出器出力、４２…無線受信機、４４…電圧比較器回路、４５…アンテナ。
【図１】
0003715208.tif 000002
【図２】
0003715208.tif 000003
【図３】
0003715208.tif 000004
【図４】
0003715208.tif 000005